(57)【要約】【課題】  従来よりもさらに薄型化を実現することが可能なプロジェクタを提供する。【解決手段】  本発明に係るプロジェクタ１００は、光源ランプユニット１１０と、光源ランプユニット１１０からの光で変調手段を照明する照明光学系１２０と、変調手段１３０と、変調手段１３０によって変調された光を投影可能な投影レンズ系１４０と、これらの光源、変調手段および投影レンズ系を収容可能なハウジングケース２００、２１０と、投影レンズ系１４０を収容位置または投影位置に移動させる移動手段１５０とを備えている。【選択図】    図１
2005107062.tif 000002
【特許請求の範囲】
【請求項１】
光源と、光源からの光を変調する変調手段と、変調手段によって変調された光を投影可能な投影レンズ系と、これらの光源、変調手段および投影レンズ系を収容可能なハウジングケースと、投影レンズ系を第１の位置または第２の位置に移動させる移動手段とを備え、
投影レンズ系が第１の位置に移動されたとき投影レンズ系はハウジング内に収容され、投影レンズ系が第２の位置に移動されたとき投影レンズ系は変調手段からの光を投影する、プロジェクタ。
【請求項２】
移動手段は、投影レンズ系を第１の位置から第２の位置へ付勢するための第１の付勢手段と、投影レンズ系を第１の位置に係止するための係止手段と、係止手段の係止を解除するための係止解除手段とを有する、請求項１に記載のプロジェクタ。
【請求項３】
移動手段は、ハウジングケースの上面を覆うカバーを含み、投影レンズ系が第１の位置にあるときカバーはハウジングケースの収容された位置にあり、投影レンズ系が第２の位置にあるときカバーはハウジングケースから突出した位置にある、請求項１または２に記載のプロジェクタ。
【請求項４】
移動手段は、カバーをハウジングから突出させる方向に付勢するための第２の付勢手段と、カバーをハウジングケースの収容された位置に係止する第２の係止手段と、第２の係止手段によって係止されたカバーの係止を解除する第２の係止解除手段とを有する、請求項１ないし３いずれかに記載のプロジェクタ。
【請求項５】
移動手段は、撮影レンズ系を第２の位置に向けてガイドし位置決めするガイド部材を有する、請求項１ないし４いずれかに記載のプロジェクタ。
【請求項６】
移動手段は、撮影レンズ系が第１の位置から第２の位置へ向けて移動するとき、その移動速度を抑制するためのダンパー部材を含む、請求項１ないし４いずれかに記載のプロジェクタ。
【請求項７】
第１の方向に向けて光を発する光源と、第１の方向の光を反射する反射部材を含む照明光学系と、照明光学系からの光を変調する変調手段と、第１の方向と平行な第２の方向の光軸を有し変調手段によって変調された光を第２の方向に向けて投影する投影手段とを有する、プロジェクタ。
【請求項８】
光源と、投影手段との間に冷却装置が配置され、該冷却装置は少なくとも光源の冷却を行う、請求項７に記載のプロジェクタ。
【請求項９】
照明光学系は、光源からの光を垂直方向に反射する第１の反射ミラーと、第１の反射ミラーからの光入射する光伝送部材と、光伝送部材からの光を所定の波長帯に分別するダイクロイックフィルターと、ダイクロイックフィルターからの光を変調手段へ向けて反射する第２の反射ミラーとを含む、請求項７または８に記載のプロジェクタ。
【請求項１０】
光源、照明光学系および投影手段によって構成される光学系がコ字型である、請求項７ないし９いずれかに記載のプロジェクタ。
【請求項１１】
プロジェクタはさらに、投影手段をその光軸と垂直方向に昇降可能な昇降手段を含む、請求項７ないし１０いずかに記載のプロジェクタ。
【請求項１２】
投影手段が上方へ移動されたとき、投影手段によって変調手段からの光の投影が行われる、請求項７ないし１１いずれかに記載のプロジェクタ。
【請求項１３】
変調手段は、ＤＭＤまたは液晶素子を含む、請求項１ないし１２いずれかに記載のプロジェクタ。
【発明の詳細な説明】
【技術分野】
【０００１】
本発明は、投影画像を形成するためのプロジェクタに関し、特にＤＭＤ（Ｄｉｇｉｔａｌ  Ｍｉｒｒｏｒ  Ｄｅｖｉｃｅ）等の空間光変調装置を用いたＤＬＰ（Ｄｉｇｉｔａｌ  Ｌｉｇｈｔ  Ｐｒｏｃｅｓｓｉｎｇ：ＤＬＰはテキサス・インスツルメンツ社の登録商標）方式のプロジェクタに関する。
【背景技術】
【０００２】
ＤＬＰ方式を利用したプロジェクタは、例えば特許文献１に開示されている。図７(ａ)は、従来のＤＬＰ方式のプロジェクタの光学系を上方からみたときの平面図である。同図に示すように、放電ランプ１０からの光は楕円鏡１２によって反射され、その反射光はライトトンネル１４によって光強度を均一化され、カラーホイール１６に入射される。カラーホイール１６は、その外周にＲ、Ｇ、Ｂ（またはＷを含む）のカラーフィルタを配列し、その中心が図示しないモータによって回転される。ライトトンネル１４からの出射光は、カラーホイール１６に入射され、そこで、Ｒ、Ｇ、Ｂの波長帯の光が選別される。カラーホイール１６からの光は、コンデンサレンズ１８、第１のミラー２０、第２のミラー２２によって反射され、ＤＭＤ２４を照射する。ＤＭＤ２４の各画素は、カラーホイール１６に同期して駆動され、画像データに応じて照射された光を変調し、変調された光は投影レンズ２６により拡大され、スクリーン上にカラー映像が表示される。
【０００３】
【特許文献１】特開２００３−２４１３０５号
【発明の開示】
【発明が解決しようとする課題】
【０００４】
しかしながら上記従来のプロジェクタには次のような課題がある。ＤＭＤ２４は、２次元アレイ状に配列された複数の半導体ミラーを有し、各半導体ミラーが各画素を形成する。各半導体ミラーは、画像データの値に応答して第1の傾斜位置または第２の傾斜位置に置かれる。半導体ミラーが第1の傾斜位置にあるとき、そこで反射された光が投影レンズ２６に入射される光をオン光とし、第２の傾斜位置にあるときにそこで反射された光が投影レンズ２６に入射されない光をオフ光とする。
【０００５】
図７（ｂ）は、図７(ａ)に示すＤＭＤ２４と投影レンズ２６を水平方向から見たときの模式図である。上記したように、ＤＭＤ２４で反射されたオン光を投影レンズ２６に導くために、投影レンズ２６の光軸Ｏ１は、ＤＭＤ２４の中心を通る光軸Ｏ２よりも上方に距離Ｓだけオフセットされなければならない。つまり、照明光学系すなわち第２のミラー２２からの光３０は、ＤＭＤ２４の下方から一定の入射角にて入射され、オン光３２が投影レンズ２６に導かれ、オフ光３４が投影レンズ２６より外側に導かれるようにしている。例えば、ＤＭＤの大きさが０、７インチであるとき、投影レンズ２６は約７．１１ｍｍの距離Ｓをオフセットしなければならない。このオフセット距離Ｓのため、プロジェクタを薄型化することが困難となっていた。
【０００６】
本発明は、上記従来の課題を解決し、従来よりもさらに薄型化を実現することが可能なプロジェクタを提供することを目的とする。
さらに本発明は、光学系のレイアウトを改善することにより小型化、軽量化が可能であり、かつ冷却高率の優れたプロジェクタを提供することを目的とする。
【課題を解決するための手段】
【０００７】
本発明に係るプロジェクタは、光源と、光源からの光を変調する変調手段と、変調手段によって変調された光を投影可能な投影レンズ系と、これらの光源、変調手段および投影レンズ系を収容可能なハウジングケースと、投影レンズ系を第１の位置または第２の位置に移動させる移動手段とを備え、投影レンズ系が第１の位置に移動されたとき投影レンズ系はハウジング内に収容され、投影レンズ系が第２の位置に移動されたとき投影レンズ系は変調手段からの光を投影するものである。
【０００８】
好ましくは移動手段は、投影レンズ系を第１の位置から第２の位置へ付勢するための第１の付勢手段と、投影レンズ系を第１の位置に係止するための係止手段と、係止手段の係止を解除するための係止解除手段とを有する。
【０００９】
好ましくは移動手段は、ハウジングケースの上面を覆うカバーを含み、投影レンズ系が第１の位置にあるときカバーはハウジングケースの収容された位置にあり、投影レンズ系が第２の位置にあるときカバーはハウジングケースから突出した位置にある。
【００１０】
好ましくは移動手段は、カバーをハウジングから突出させる方向に付勢するための第２の付勢手段と、カバーをハウジングケースの収容された位置に係止する第２の係止手段と、第２の係止手段によって係止されたカバーの係止を解除する第２の係止解除手段とを有する。また移動手段は、撮影レンズ系を第２の位置に向けてガイドし位置決めするガイド部材を有する。
【００１１】
好ましくは移動手段は、撮影レンズ系が第１の位置から第２の位置へ向けて移動するとき、その移動速度を抑制するためのダンパー部材を含む。
【００１２】
他の発明に係るプロジェクタは、第１の方向に向けて光を発する光源と、第１の方向の光を反射する反射部材を含む照明光学系と、照明光学系からの光を変調する変調手段と、第１の方向と平行な第２の方向の光軸を有し変調手段によって変調された光を第２の方向に向けて投影する投影手段とを有する。
【００１３】
好ましくは光源と、投影手段との間に冷却装置が配置され、該冷却装置は少なくとも光源の冷却を行う。好ましくは照明光学系は、光源からの光を垂直方向に反射する第１の反射ミラーと、第１の反射ミラーからの光入射する光伝送部材と、光伝送部材からの光を所定の波長帯に分別するダイクロイックフィルターと、ダイクロイックフィルターからの光を変調手段へ向けて反射する第２の反射ミラーとを含む。
【００１４】
好ましくは光源、照明光学系および投影手段によって構成される光学系がコ字型である。またプロジェクタはさらに、投影手段をその光軸と垂直方向に昇降可能な昇降手段を含むものでもよい。
【発明の効果】
【００１５】
本発明のプロジェクタによれば、撮影手段をハウジングケース内に収容させるための第１の位置と、変調手段からの光の投影を行うための第２の位置との間で移動できるようにしたので、プロジェクタの薄型化、小型化を実現することができる。さらに、光学系をコ字型にし、その中央に冷却装置を置くことで、ハウジングケース内にスペースを有効利用しつつ小型化を実現することができる。また、中央の位置に冷却装置を配置することで各部を効率よく冷却することも可能となる。
【発明を実施するための最良の形態】
【００１６】
以下、本発明に係るプロジェクタを実施するための最良の形態として図１を参照して説明する。図１は本発明のプロジェクタの特徴を示すブロック図である。プロジェクタ１００は、図１（ａ）に示すように、光源ユニット１１０と、光源ユニットからの光を入射する照明光学系１２０と、照明光学系１２０からの光を変調する変調手段１３０と、変調された光を投影する投影レンズ系１４０と、投影レンズ系１４０を移動する移動手段１５０とを含んで構成される。
【００１７】
本発明の主たる特徴は、移動手段１５０によって投影レンズ系１４０の位置を可変にしたことである。投影レンズ系１４０の位置を可変にすることで、プロジェクタ１００の不使用時に投影レンズ系１４０をハウジングケース内の収容位置に移動させ、使用時には収容位置から投影位置へ投影レンズ系１４０を移動させ変調手段からの光を投影可能にする。これによって、従来、光学系の制限によってプロジェクタの小型化が困難であったが、投影レンズ系の位置を可変にすることで、光学系の条件を満足しつつハウジングケース内のスペースを有効に活用したプロジェクタを提供することができる。
【００１８】
本発明のもう一つの特徴は、図１（ｂ）に示すように、光源ランプユニット１０からの光をコ字型の光学系によって投影するようにしたことで、省スペース化に対応した小型のプロジェクタを提供することである。さらに、図１（ｃ）に示すように、コ字型の光学系の中央部に冷却装置６０を配置させることで、光源ランプユニット１１０を効率よく冷却することができる。勿論、冷却装置１６０は、光源ランプユニット１１０以外の照明光学系１２０や変調手段１３０等を冷却することができる。
【実施例】
【００１９】
次に本発明の第１の実施例に係るプロジェクタを説明する。図２(ａ)は、プロジェクタのハウジングケースの上面を切り取ったときの内部配置を示す図であり、図２（ｂ）は図２（ａ）のＡ−Ａ線矢視断面図であり投影レンズ系が収容位置にある状態を示し、図２（ｃ）は投影レンズ系が投影位置にある状態を示している。
【００２０】
図２に示すように、本実施例に係るプロジェクタ１００は、下部ハウジングケース２００と、下部ハウジングケース２００と摺動可能に組み合わせられる上部ハウジングケース２１０とを有する。上部および下部ハウジングケースにより形成された内部空間に光源ユニット１１０、照明光学系１２０、変調手段１３０、投影レンズ系１４０、移動手段１５０、冷却装置１６０およびその他の電子部品等が配置される。
【００２１】
光源ランプユニット１１０は、高圧水銀ランプ等の放電ランプと、放電ランプから発せられた光を集光しＳ１方向へ向けて反射する回転楕円面鏡等のリフレクターとを有している。Ｓ１方向はリフレクターの光軸に等しい。
【００２２】
照明光学系１２０は、光源ランプユニット１１０からの光を垂直方向に反射する平板ミラー１２１と、平板ミラー１２１からの反射光を入射しほぼ均一強度の光線束を出射するライトトンネル１２２と、ライトトンネル１２２の出口付近に配置されＲ、Ｇ、Ｂ（またはＷ）の光を分離するカラーホイール１２３と、カラーホイール１２３によって分離された光を変調手段１３０へ反射する第１、第２の凹面鏡１２４、１２５とを含んでいる。カラーホイール１２３は、円周方向にＲ、Ｇ、Ｂ（ホワイト（Ｗ）を含むこともある）のカラーフィルターを配列した円盤であり、その中心が図示しないモータによって回転される。カラーフィルターに入射した光は、Ｒ、Ｇ、Ｂ（またはＷ）の波長帯の光となって時分割的に出射される。
【００２３】
第１および第２の凹面鏡１２４、１２５によって反射された光は、変調手段１３０に供給される。本実施例では、変調手段として、ＤＭＤが用いられる。ＤＭＤは、０．７インチサイズの半導体ミラー素子をアレイ状に配列し、ここに光が照射される。
【００２４】
投影レンズ系１４０は、ＤＭＤ１３０に近接されるコンデンサレンズや拡大された投影画像を形成するためのレンズ等を含み、これらのレンズを一つの筐体１４１内に配置させている。これらのレンズ系の光軸はＳ２であり、光源ユニット１１０の光軸Ｓ１と平行である。図２（ｂ）に示すように、投影レンズ系１４０は、下部ハウジングケース２００の主面２０１に当接した収容位置と、図２（ｃ）に示すように下部ハウジングケース２００の主面２０１から上方へ突出した投影位置との間を移動することができる。投影レンズ系１４０が投影位置にあるとき、ＤＭＤ１３０によって反射されたオン光が投影レンズ系１４０に向かい、スクリーン上に投影画像が形成される。
【００２５】
本実施例に係る移動手段１５０は、下部ハウジングケース２００の主面２０１に対して垂直方向に投影レンズ系１４０を昇降させる。投影レンズ系１４０の筐体１４１の両側に水平方向に延びる一対のフランジ１４２、１４３が形成されている。フランジ１４２、１４３は筐体１４１と一体であってもよい。フランジ１４２、１４３には、円形状の貫通孔１４２ａ、１４３ａが形成され、この貫通孔１４２ａ、１４３ａ内にはガイドピン１４４、１４５が挿入される。ガイドピン１４４、１４５の一端１４４ａ、１４５ａは、下部ハウジングケース２００の主面２０１に固定されており、他端１４４ｂ、１４５ｂは貫通孔よりも十分大きな径のストッパーが形成されている。
【００２６】
また、ガイドピン１４４、１４５の周囲に、かつ主面２０１とフランジ１４２、１４３の間にコイル状のスプリング１４６、１４７が巻回され、これによって、フランジ１４２、１４３、すなわち筐体１４１が常時下部ハウジングケース２００から遠ざかる方向に付勢される。
【００２７】
下部ハウジングケース２００には、フランジ１４３と係止可能な係止部１４８が設けられている。係止部１４８は水平方向に移動することができ、係止部１４８がフランジ１４３と係止しているとき、筐体１４１はスプリング１４６、１４７に抗して下部ハウジングケース２００の収容位置に固定されている（図２（ｂ）の状態）。係止部１４８を右方向へ移動させフランジ１４３との係止を解除すると、スプリング１４６、１４７のばね力によって筐体１４１がハウジングケース２００の主面２０１から上方に移動を開始する。筐体１４１は、ガイドピン１４４、１４５に沿ってガイドされながら上方に移動し、ガイドピン１４４、１４５の他端１４４ｂ、１４５ｂがフランジ１４２、１４３の面と当接したとき移動が停止される（図２（ｃ）の状態）。ガイドピンの他端１４４ｂ、１４５ｂは、貫通孔１４２ａ、１４３ａの径よりも大きく筐体１４１を位置決めするためのストッパーとして働く。
【００２８】
上部ハウジングケース２１０は、投影レンズ系１４０と接続されるようにし、投影レンズ系１４０がスプリング１４６、１４７によって上昇されると、それと連動して上昇される。
【００２９】
投影レンズ系１４０を収容位置へ収容させる場合には、上部ハウジングケース２１０をスプリング１４６、１４７に抗するように押下する。上部ハウジングケース２１０を介して筐体１４１がガイドピン１４４、１４５に沿って下部ハウジングケース２００の主面２０１に接近する方向に移動する。上部ハウジングケース２１０の端部２１１が下部ハウジングケース２００の受け部２０２に当接したとき、筐体１４１のフランジ１４３が係止部１４８と係合可能な位置となる。再び係止部１４８をフランジ１４３に係止するように移動させることで筐体１４１を収容位置に停止させる。
【００３０】
図２(ａ)に示すように、光源ランプユニット１１０からの光は、Ｓ１方向に進み、平板ミラー１２１によって直角に折り曲げられ、この光は第１および第２の凹面鏡１２４、１２５を介してＤＭＤ１３０にて反射され、そしてＳ１と平行な光軸Ｓ２を有する投影レンズ系１４０によって投影される。このように、光源ユニット１１０、照明光学系１２０および投影レンズ系１４０によってコ字型の光学系が形成される。
【００３１】
コ字型の光学系の中央に配置される冷却装置１６０は、２つのシロッコファン１６２、１６４を有している。一方のシロッコファン１６２は、下部ハウジングケース２００の主面２０１に取り付けられ、排気口１６２ａが光源ランプユニット１１０に向けられている。下部ハウジングケース２００の前面には、複数のスリット状の開口２０３が形成され、上部ハウジングケース２１０が上方に突出したとき、開口２０３から吸気された外気がシロッコファン１６２に取り込まれ、排気口１６２ａから強制的に排気される。
【００３２】
他方のシロッコファン１６４は、上部ハウジングケース２１０に取り付けられ、上部ハウジングケース２１０と連動して位置を可変する。上部ハウジングケース２１０の上面には複数の貫通するスリット状の開口（図示省略）が形成され、該開口から吸気された外気は、シロッコファン１６４によって取り込まれ、その排気口１６４ａから排気されるようになっている。
【００３３】
第１の実施例では、投影レンズ系１４０の移動をスプリングを利用して機械的に昇降させる例を示したが、これ以外にも、ギアやリンク等の機構を用いて撮影レンズ系１４０の昇降を行うようにしてもよい。さらに、スプリングによるばね力以外に、電動モータを用いて機構を駆動するようにしてもよい。あるいは、ステッピングモータを用いることで、撮影レンズ系１４０の昇降の位置を正確に制御するようにしてもよい。
【００３４】
次に本発明の第２の実施例について説明する。図３は、第２の実施例に係るプロジェクタの斜視図であり、図３(ａ)は投影レンズ系が収容位置にある状態を示し、図３（ｂ）は投影レンズ系が投影位置に突出した状態を示している。
【００３５】
本実施例に係るプロジェクタ３００は、下部ハウジングケース３１０と、下部ハウジングケース３１０に組み合わされる上部ハウジングケース３２０と、下部ハウジングケース３１０から上方に突出可能なカバー３３０とを有している。
【００３６】
カバー３３０の前面には、スライドカバー３３２が設けられ、スライドカバー３３２を水平方向にスライドさせると投影レンズ系のレンズが露出される。同時に、カバー３３２の投影レンズ系の出射口近傍に形成された開口３３２ａが露出される（図３（ｂ）を参照）。また、カバー３３０の前面には水平方向に離間する複数のスリット状の開口３３４が形成されている。カバー３３０の上面には、投影レンズ系による焦点位置を調整するための回転ツマミ３３６が露出され、かつ、メッシュ状の開口３３８が形成されている。
【００３７】
上部ハウジングケース３２０の上面には、押下ボタン３２２が設けられている。押下ボタン３２２を押下すると、カバー３３０を収容位置に係止していた係止部が解除され、カバー３３０が上昇される。そのときの状態が図３（ｂ）である。
【００３８】
これらハウジングケース内には、図２に示した各構成部材が配置されている。第１の実施例では、投影レンズ系１４０の移動と連動して上部ハウジングケース２１０を移動させたが、第２の実施例では、投影レンズ系の移動とは独立した移動機構によりカバー３３０を昇降させる。
【００３９】
図４（ａ）は、カバー３３０を昇降させるための昇降機構を示す平面図、図４（ｂ）はその正面図である。図４に示すように、投影レンズ系１４０の両側には、一対の昇降機構４００が配置される。昇降機構４００は一本のシャフト５００によって連結され、これによって一対の昇降機構４００の動きが同期される。一対の昇降機構４００は、上記したカバー３３０に接続され、カバー３３０の昇降を行う。
【００４０】
図５は、昇降機構の側面図を示し、図５（ａ）は昇降機構が降下された位置にある状態を示し、図５（ｂ）は昇降機構が上昇した位置にある状態を示している。
昇降機構４００は、板状のフレーム４１０と、カバー３３０に接続される昇降部材４２０と、昇降部材４２０に連結される扇型の第１の回動部材４３０と、昇降部材４２０の昇降速度を制限するためのダンパー４４０と、ダンパー４４０および昇降部材４２０に連結される扇型の第２の回動部材４５０と、スプリング４６０によって付勢される駆動部材４７０とを含んで構成される。
【００４１】
昇降部材４２０の各端部には水平方向に延在する長穴４２１、４２２が形成され、中央部には垂直方向に延在する長穴４２３が形成されている。長穴４２１には連結ピン４２４が挿入され、連結ピン４２４は第１の回動部材４３０の下端部に結合されている。長穴４２２には連結ピン４２５が挿入され、連結ピン４２５は第２の回動部材４５０の下端部に結合されている。長穴４２３には連結ピン４２６が挿入され、連結ピン４２６はフレーム４１０に結合されている。さらに、昇降部材４２０は、カバー３３０に連結されるカバー連結部材４２８を含んでいる。
【００４２】
第１の回動部材４３０は、フレーム４１０に接続された回転軸４３２を支点に回動可能であり、支点４３２はシャフト５００が接続されている。第１の回動部材４３０の上端部には連結ピン４３４を介して駆動部材４７０に接続されている。同時に、連結ピン４３４にはスプリング４６０の一端が接続されており、スプリング４６０のばねにより、駆動部材４７０および第１の回動部材４３０は方向Ｆに常時付勢される。
【００４３】
駆動部材４７０の先端部は、連結ピン４７２を介して第２の回動部材４５０の上端部に接続されている。第２の回動部材４５０は、フレーム４１０に接続された回転軸４５２を支点に回動可能である。また、第２の回動部材４５０の外周４５４には歯型が形成され（図示省略）、この歯型はダンパー４４０と歯合する。
【００４４】
次に昇降動作について説明する。図４に示すように、ユーザーによって押下ボタン３２２が押下されると、カバー３３０への係合が解除され、カバー３３０は上昇を開始する。このとき、投影レンズ系１４０とカバー３３０とは、図６(ａ)に示すような関係、つまり、投影レンズ系１４０の上下の係合部４８０、４８２の内、下側の係合部４８０がカバー３３０の係合部４９０に当接している。従って、投影レンズ系１４０は、第１の実施例のときと同様にコイルバネのバネ力によって上昇されることになるが、その上昇速度は、カバー３３０の移動速度によって規制されことになる。
【００４５】
カバー３３０への係止が解除されると、コイルスプリング４６０の付勢によって駆動部材４７０が方向Ｆへ移動を開始し、同時に第１の可動部材４３０が回転軸４３２を支点に回転をする。第１の回動部材４３０の回転により長穴４１１の連結ピン４１４を介して昇降部材４２０が上昇する。昇降部材４２０は、垂直方向の長穴４１３内を移動する連結ピン４１６によってガイドされながら垂直方向に上昇する。同時に、第２の回動部材４５０が回転軸を支点に回転する。このとき、第２の回動部材４５０はダンパー４４０と歯合しているため、第２の回動部材４５０の回転速度は抑制され、急速に回動せず、徐々に回動する。この結果、カバー３３０は下部ハウジングケース３１０からゆっくりとした速度で持ち上げられる。
【００４６】
昇降部材４２０は、連結ピンが長穴４１３の下端に当接したとき、上昇を停止する。このとき、図５（ｂ）に示すように、カバー連結部材４２８が最上位置まで上昇されている。また、このとき投影レンズ系１４０の上側の係合部４８０にカバー３３０の係合部４９０が当接している。投影レンズ系１４０は、ここには図しないが、第１の実施例のときと同様に所定の位置に位置決めされる。図６（ｂ）に示すような係合関係をもつことにより、カバー３３０に多少の振動が与えられても、係合部４９０は投影レンズ系１４０の係合部４８０、４８２のギャップ間にあるため、投影レンズ系１４０に与える影響を防止することができる。
【００４７】
以上本発明の好ましい実施の形態について詳述したが、本発明は係る特定の実施形態に限定されるものではなく、特許請求の範囲に記載された本発明の要旨の範囲内において、種々の変形、変更が可能である。
【００４８】
上記実施例では、変調手段にＤＭＤを用いた例を示したが、これに限らず、変調手段に液晶デバイスを用いるものであってもよい。さらに、上記実施例の移動手段の構成や照明光学系の構成は一例であって、これに限定されるものではない。さらに、投影レンズ系は、変調手段からの光を投影する機能を備えていれば良く、複数のレンズを有するものや単体のレンズを有するものであっても良い。さらに、投影レンズ系のすべてを移動させる以外に、その一部を移動させるものであってもよい。
【産業上の利用可能性】
【００４９】
本発明は、ＤＬＰ方式によるプロジェクタ、液晶方式によるプロジェクタ等において利用することができ、特に、携帯用に小型化、薄型化するプロジェクタにおいて有効に利用することができる。
【図面の簡単な説明】
【００５０】
【図１】本発明の実施形態に係るプロジェクタの特徴を説明する図である。
【図２】本発明の第１の実施例に係るプロジェクタの構成を示す図である。
【図３】本発明の第２の実施例に係るプロジェクタを示し、図３(ａ)はカバーが収容位置にある状態を示し、図３(ｂ)はカバーが投影位置にある状態を示す。
【図４】図４（ａ）は第２の実施例に係る昇降機構の平面図、図４（ｂ）はその正面図である。
【図５】図５（ａ）は第２の実施例に係る昇降機構が降下した状態にあるときの側面図、図５（ｂ）は昇降機構が上昇した状態にあるときの側面図である。
【図６】投影レンズ系とカバーとの係合関係を説明する図である。
【図７】従来のプロジェクタの構成を示す図である。
【符号の説明】
【００５１】
１００：プロジェクタ、          １１０：光源ランプユニット
１２０：照明光学系、            １３０：変調手段
１４０：投影レンズ系、          １５０：移動手段
１６０：冷却装置                ２００：下部ハウジングケース
２１０：上部ハウジングケース    ３００：プロジェクタ
３１０：下部ハウジングケース    ３２０：上部ハウジングケース
３２２：押下ボタン              ３３０：カバー
４００：昇降機構
【図１】
2005107062.tif 000003
【図２】
2005107062.tif 000004
【図３】
2005107062.tif 000005
【図４】
2005107062.tif 000006
【図５】
2005107062.tif 000007
【図６】
2005107062.tif 000008
【図７】
2005107062.tif 000009